(57)【要約】【課題】  眼底観察及び眼底撮影と、眼の視機能検査を好適に行うことができる眼底撮影装置を提供する。【解決手段】  眼底撮影装置は、眼底を照明する眼底照明光学系と，患者眼の視線を誘導する固視標ち網膜の視機能検査を行う検査指標を眼底に投影する視標呈示光学系と，眼底を撮影して眼底撮影画像を得る撮像素子を備える眼底撮影光学系とを備える撮影部と、所定のアライメント基準に基づいて撮影部と患者眼の位置合わせをするアライメント手段とを有し、撮像素子で撮像された眼底画像からフレア領域を画像処理により抽出するフレア領域抽出手段と、フレア領域抽出手段で抽出されたフレア領域の重心の位置情報を演算処理で求める重心演算手段と、重心演算手段で得られた重心の位置情報とアライメント基準とに基づいて患者眼に対する撮影部のアライメント制御を行う制御手段と、を備える。【選択図】      図６
2014023768.tif 000002
【特許請求の範囲】
【請求項１】
患者眼の眼底を照明する眼底照明光学系と，患者眼の視線を誘導する固視標及び網膜の視機能検査を行う検査指標を前記眼底に投影する視標呈示光学系と，前記眼底を撮影して眼底撮影画像を得るための撮像素子を備える眼底撮影光学系とを備える撮影部と、所定のアライメント基準に基づいて前記撮影部と前記患者眼の位置合わせをするアライメント手段と、を備える眼底撮影装置において、
前記アライメント手段は、
前記撮像素子で撮像された前記眼底画像からフレア領域を画像処理により抽出するフレア領域抽出手段と、
該フレア領域抽出手段で抽出された前記フレア領域の重心の位置情報を演算処理で求める重心演算手段と、
該重心演算手段により得られた前記重心の位置情報と前記アライメント基準とに基づいて前記患者眼に対する前記撮影部のアライメント制御を行う制御手段と、
を備えることを特徴とする眼底撮影装置。
【請求項２】
請求項１の眼底撮影装置において、
前記制御手段は、前記重心演算手段で求められた前記フレア領域の重心位置が前記アライメント基準から所定範囲内にある場合には、前記重心の位置情報に基づくアライメント制御を行わないことを特徴とする眼底撮影装置。
【請求項３】
請求項２の眼底撮影装置は、
前記眼底撮影画像を構成する画素を輝度値に基づき二値化するための輝度の閾値が記憶された記憶部を備え、
前記フレア領域抽出手段は、前記輝度の閾値と前記眼底撮影画像を構成する各画素の輝度値を比較した結果、前記輝度の閾値より輝度値の高い画素を前記フレア領域を構成する画素として抽出することを特徴とする眼底撮影装置。
【請求項４】
請求項３の眼底撮影装置において、
前記重心演算手段は、画像処理モーメント演算にて前記フレア領域の重心を求めることを特徴とする眼底撮影装置。
【請求項５】
請求項１〜４のいずれかの眼底撮影装置において、
前記アライメント手段は、前記眼底の異なる部位に検査指標を呈示して患者眼の視野検査を行う場合に前記フレア領域の重心に基づくアライメント制御を行い、前記眼底撮影光学系による眼底撮影時には前記フレア領域の重心に基づくアライメントの制御を行わないことを特徴とする眼底撮影装置。
【発明の詳細な説明】
【技術分野】
【０００１】
本発明は、患者眼の眼底を撮影する眼底撮影装置に関する。
【背景技術】
【０００２】
眼底のピントが合った状態で眼底観察又は眼底撮影を行う眼底撮影装置において、眼底（網膜）上の各測定点に検査視標を投影して、患者眼の応答に基づく眼の視機能検査をする視野計の機能を持ったものが知られている（例えば、特許文献１参照）。
【先行技術文献】
【特許文献】
【０００３】
【特許文献１】特開２００３‐２３５８００号公報
【発明の概要】
【発明が解決しようとする課題】
【０００４】
この種の眼底撮影装置において、検査中に生じる眼の移動又は回旋によるフレアの発生を抑え、眼の視機能検査を好適に行うためには、眼と撮影部とのアライメント状態が適性に維持される必要がある。
【０００５】
本発明は上記従来技術の問題点に鑑み、眼底観察及び眼底撮影と、眼の視機能検査を好適に行うことができる眼底撮影装置を提供することを技術課題とする。
【課題を解決するための手段】
【０００６】
上記課題を解決するために、本発明は以下のような構成を備えることを特徴とする。
【０００７】
（１）  患者眼の眼底を照明する眼底照明光学系と，患者眼の視線を誘導する固視標及び網膜の視機能検査を行う検査指標を前記眼底に投影する視標呈示光学系と，前記眼底を撮影して眼底撮影画像を得るための撮像素子を備える眼底撮影光学系とを備える撮影部と、所定のアライメント基準に基づいて前記撮影部と前記患者眼の位置合わせをするアライメント手段と、を備える眼底撮影装置において、前記アライメント手段は、前記撮像素子で撮像された前記眼底画像からフレア領域を画像処理により抽出するフレア領域抽出手段と、該フレア領域抽出手段で抽出された前記フレア領域の重心の位置情報を演算処理で求める重心演算手段と、該重心演算手段により得られた前記重心の位置情報と前記アライメント基準とに基づいて前記患者眼に対する前記撮影部のアライメント制御を行う制御手段と、
を備えることを特徴とする。
（２）  （１）の眼底撮影装置において、前記制御手段は、前記重心演算手段で求められた前記フレア領域の重心位置が前記アライメント基準から所定範囲内にある場合には、前記重心の位置情報に基づくアライメント制御を行わないことを特徴とする眼底撮影装置。
（３）  （２）の眼底撮影装置は、前記眼底撮影画像を構成する画素を輝度値に基づき二値化するための輝度の閾値が記憶された記憶部を備え、前記フレア領域抽出手段は、前記輝度の閾値と前記眼底撮影画像を構成する各画素の輝度値を比較した結果、前記輝度の閾値より輝度値の高い画素を前記フレア領域を構成する画素として抽出することを特徴とする。
（４）  （３）の眼底撮影装置において、前記重心演算手段は、画像処理モーメント演算にて前記フレア領域の重心を求めることを特徴とする。
（５）  （１）〜（４）のいずれかの眼底撮影装置において、前記アライメント手段は、前記眼底の異なる部位に検査指標を呈示して患者眼の視野検査を行う場合に前記フレア領域の重心に基づくアライメント制御を行い、前記眼底撮影光学系による眼底撮影時には前記フレア領域の重心に基づくアライメントの制御を行わないことを特徴とする。
【発明の効果】
【０００８】
本発明によれば、眼底観察及び眼底撮影と、眼の視機能検査を好適に行うことができる眼底撮影装置を提供できる。
【発明を実施するための形態】
【０００９】
以下、本発明の実施形態を図面に基づき説明する。なお眼底撮影装置として、眼底観察及び撮影と、眼底の視野検査を一台で行うことができる眼底撮影装置を例に挙げて説明する。図１は眼底撮影装置の外観構成図である。図２は眼底撮影装置の光学系及び制御系の説明図である。
【００１０】
図１において、眼底撮影装置１は、基台１ａと、基台１ａに対して左右方向（Ｘ方向）及び前後（作動距離）方向（Ｚ方向）に移動可能に設けられた移動台２、移動台２に設けられた駆動部６によって患者眼（眼）Ｅに対して左右方向（Ｘ方向）、上下方向（Ｙ方向）及び前後方向（Ｘ方向）に移動可能に設けられた撮影部（装置本体）３、被検者の顔を支持するために基台１ａに固設された顔支持ユニット５を備える。なお、撮影部３の内部には後述する光学系及び制御系が収納される。
【００１１】
撮影部３の検者側には、ジョイスティック４、コントロール部７ａ、モニタ８が設けられている。ジョイスティック４は眼Ｅに対して撮影部３を相対移動させるために用いられる。ジョイスティック４が傾倒されると摺動機構によって移動台２が基台１ａ上をＸＺ方向に摺動する。ジョイスティック４の側面には回転ノブ４ａ、頂部にはスイッチ４ｂがあり、回転ノブ４ａの回転操作で駆動部６が駆動して撮影部３がＹ方向に移動される。またスイッチ４ｂからの入力信号で眼底像の撮影動作などが行われる。コントロール部７ａは、各種撮影・検査条件等を設定するための入力手段であり、マウス、キーボード、タッチパネル（モニタ８に取り付けられる）等が用いられる。モニタ８には眼Ｅの観察・撮影画像の他、各種検査結果が表示される。例えば、眼底観察画面、前眼部観察画面、視野検査画面、リハビリテーション画面等がモニタ８に表示される。撮影部３の被検者側には、被検者が装置内部を覗き込むための撮影窓９、眼（網膜）の視機能検査時などに患者が応答信号を入力するための応答ボタン７ｂが設けられている。
【００１２】
図２において、光学系は、照明光学系１０、被検者眼の眼底や前眼部等の観察・撮影をする観察・撮影光学系３０、眼底にフォーカス指標（フォーカス指標）を投影するフォーカス指標投影光学系４０、前眼部にアライメント用指標光束を投影するアライメント指標投影光学系、被検者（眼Ｅ）の視線を誘導する視標呈示光学系７０から構成されている。
【００１３】
＜照明光学系＞  照明光学系１０は、撮影照明光学系と観察照明光学系を有する。撮影照明光学系は、可視光束を照射する撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。
観察照明光学系は、近赤外光の光束を照射する照明光源１１、近赤外光を透過する赤外フィルター１２、コンデンサレンズ１３、コンデンサレンズ１３とリングスリット１７との間に配置されたダイクロイックミラー１６、リングスリット１７から孔あきミラー２２までの光学系と、対物レンズ２５を有する。
【００１４】
＜観察・撮影光学系＞  観察・撮影光学系３０は、眼底観察光学系、眼底撮影光学系、前眼部観察光学系を有する。眼底観察光学系は、対物レンズ２５、孔あきミラー２２の開口近傍に位置する撮影絞り３１、光軸方向に移動可能なフォーカシングレンズ３２、結像レンズ３３、跳ね上げミラー３４を備える。跳ね上げミラー３４の反射方向の光路には、赤外光反射・可視光透過の特性を有するダイクロイックミラー３７、リレーレンズ３６、赤外域に感度を有する観察用の二次元撮像素子３８が配置され、赤外光源で照明された眼底像が撮影される。なお、跳ね上げミラー３４は眼底の観察時に光路に挿入され、眼底の撮影時に挿脱機構３９により光路から退避される。
【００１５】
眼底撮影光学系は、対物レンズ２５，撮影絞り３１から結像レンズ３３までの光学系を眼底観察光学系と共用する。また眼底撮影光学系は、可視域に感度を有する撮影用の二次元撮像素子３５を備え、可視光源１４で照明された眼底像が撮影される。なお、撮影絞り３１は対物レンズ２５に関して眼Ｅの瞳孔と略共役な位置に配置され、フォーカシングレンズ３２は、モータを備える移動機構４９で光軸方向に移動される。
【００１６】
以上の構成により眼底の観察時には、照明光源１１を発した光束が対物レンズ２５によって眼Ｅの瞳孔付近で一旦収束した後、拡散して眼底を照明する。眼底からの反射光は、対物レンズ２５、孔あきミラー２２の開口部、撮影絞り３１、フォーカシングレンズ３２、結像レンズ３３、跳ね上げミラー３４、ダイクロイックミラー３７、リレーレンズ３６を介して撮像素子３８に結像する。眼底の撮影時には、撮影光源１４で照明された眼底からの反射光が、対物レンズ２５、孔あきミラー２２の開口部、撮影絞り３１、フォーカシングレンズ３２、結像レンズ３３を経て二次元撮像素子３５に結像する。
【００１７】
前眼部観察光学系は、赤外光を発する光源３５ａ、３５ｂ、対物レンズ２５、前眼部観察補助レンズ２６（以下、補助レンズと記す）を有し、穴あきミラー２２から撮像素子３８までの光学系を眼底観察光学系と共用する。赤外光源３５ａ，３５ｂは撮影光軸Ｌ１を挟んで対称的配置された一対の矩形状のＬＥＤであり、眼Ｅの角膜に向けて所定の投影角度で発散光束による有限遠の指標（患者眼に対して垂直方向に延びる矩形状の指標）を投影する。これにより、眼Ｅと撮影部３の三次元方向のアライメント状態が示されると共に前眼部全体が照明される。
【００１８】
なお、補助レンズ２６は駆動手段２６ａの駆動によって光路から挿脱され、補助レンズ２０が光軸Ｌ１上に置かれたときに前眼部と撮像素子３８が略共役関係になる。つまり前眼部の観察時には、補助レンズ２６が光軸Ｌ１上に置かれて撮像素子３８で撮像された前眼部がモニタ８に表示される。一方、眼底観察時には、補助レンズ２６が駆動手段２６ａの駆動で光路から退避され、撮像素子３８と眼底が略共役関係となり、撮影された眼底像がモニタ８に表示される。
【００１９】
＜フォーカス指標投影光学系＞  フォーカス指標投影光学系４０は、赤外光源４１、スリット指標板４２、スリット指標板４２に取り付けられた２つの偏角プリズム４３、照明光学系１０の光路に斜設されたレバー４５、レバー４５に取り付けられ眼底の共役位置に置かれるスポットミラー４４、ロータリーソレノイド４６、投影レンズ４７とを備える。レバー４５は光軸上に置かれ、スポットミラー４４は光軸上を避けた位置に置かれるようにレバー４５の先端に取り付けられる。これにより眼底の観察時に、スポットミラー４４からの反射光が眼底上の光軸Ｌ１上を避けた位置に投影される。
スリット指標板４２の光束は、偏角プリズム４３で分離された後、投影レンズ４７を介してスポットミラー４４で反射され、リレーレンズ２１、孔あきミラー２２、ダイクロイックミラー２４、対物レンズ２５を経て眼底に投影される。眼底のフォーカスが合っていないとき、スリット指標板４２の指標像（フォーカス指標Ｓ１，Ｓ２）は眼底と共役関係ではないため眼底に分離して投影される。この場合、フォーカス視標Ｓ１，Ｓ２の分離状態の検出結果に基づき、駆動機構４９の駆動によってフォーカシングレンズ３２及びフォーカス視標投影光学系４０が連動して光軸方向に移動される。一方、眼底のフォーカスが合ったとき、フォーカス指標Ｓ１，Ｓ２は眼底と共役位置にあり合致する。なお、フォーカスが合った状態で眼底撮影が行われるとき、ロータリーソレノイド４６の軸の回転によってレバー４５が光路から退避される。
【００２０】
＜視標呈示光学系＞  視標呈示光学系７０は、観察・撮影光学系２０の対物レンズ２５から跳ね上げミラー３４までを共用し、更に２次元スキャン方式のプロジェクター７１、スクリーン７２、レンズ７３を備える。ここでの図示は省略するが、プロジェクター７１は、所定の色のレーザ光（例えば、赤色、緑色、青色）を照射する複数のレーザ光源と、各レーザ光を平行光とするためのコリメータレンズと、コリメータレンズで平行光とされた各レーザ光を同軸にするためのダイクロイックミラーと、同軸にされたレーザ光の照射径を変更するために光軸上で移動されるレンズと、レンズを通過したレーザ光をスクリーン７２上で走査するための走査部とを備え、後述する制御部８０によって各光源の点灯状態の制御、走査部の駆動が制御される。
視標呈示光学系７０にレーザ光源を用いることで、眼底に投影される視標の大きさ、形状等が任意に変えられる。またレーザ光源から照射されるレーザ光の組み合わせによって、モノクロだけでなくカラーの視標も呈示できるようになる。例えば、石原式色覚異常検査表や特定波長の色（例えば赤、青、緑）を用いた視機能検査視標が呈示可能となり、患者の色覚異常の有無や、異常のある錐体（特定の色に対する色覚異常）等を特定できるようになる。また１台の検査装置を用いて様々な種類の視機能検査を行えるようになる。
なお、本実施形態では眼底と略共役位置に置かれたスクリーン７２に投影された映像（視標）を途中の光学系を介して眼底に結像させているが、プロジェクター７１から照射されるレーザ光を直接眼底に投影して各種視標を形成しても良い。
【００２１】
＜制御系＞  制御部８０は、上述の光学系及び制御系に接続されて各種動作制御を行う。また制御部８０には記憶部としてのメモリ８３が接続されており、メモリ８３には各種プログラムや、環境設定ファイルなどの情報が予め記憶される。また撮影画像に含まれるフレア領域の検出結果に基づくアライメントをするため、フレア領域を構成する画素を抽出するための輝度の閾値情報が予め記憶されている。
例えば、制御部８０は撮像素子３８で撮像された前眼部画像からアライメント指標を検出する。また制御部８０は、撮像素子３５で撮像された眼底画像をモニタ８に表示させると共に、フォーカス指標の分離状態に基づき眼底のフォーカス合わせを行う。更に本実施形態では眼底視野検査を行う際に、撮像素子３８で撮影された眼底画像からフレア領域を抽出して、フレアが取り除かれる方向に撮影部３を移動させるアライメントを行う。これにより視野検査中に生じる眼の移動又は回旋によるフレアの発生の影響を抑えて、眼Ｅと撮影部３のアライメントが好適に維持されるようになる。
【００２２】
以上のような構成を備える眼底撮影装置の動作を説明する。ここでは、眼の視野検査を行った後、眼底を撮影する動作を説明する。コントロール部７ａの操作で視野検査モードが設定されるとモニタ８に視野検査画面が表示される。また、制御部８０は駆動手段２６ａの駆動で光軸Ｌ２上に補助レンズ２６を位置させ、光源３５ａ、３５ｂを点灯させる。この状態で被検者が撮影窓９から装置内部を覗き込むと、前眼部が照明されて角膜に矩形状のアライメント指標が投影される。
【００２３】
一方、制御部８０はプロジェクター７１の駆動制御でスクリーン７２に固視標を形成する。つまり走査部の走査角度に応じてレーザ光の出力を調整し、低い輝度の背景に高い輝度の固視標を形成させる。具体的には、光軸Ｌ１に対応する固視標の呈示位置では各光源によるレーザ光の出力（輝度）を上げ、それ以外の背景部分ではレーザ光の出力（輝度）を低くする。これによりスクリーン７２に、暗い背景（低い輝度）に明るい（高い輝度）の固視標が形成される。スクリーン７２に形成された映像（固視標）は、レンズ７３、跳ね上げミラー３４、リレーレンズ３３から対物レンズ２５を経て、スクリーン７２と略共役位置にある患者の眼底に投影される。
【００２４】
固視標で眼Ｅが誘導された状態で、前眼部像を用いた位置合わせ（アライメント）が行われる。図３にモニタ８に表示される前眼部像の例を示す。前眼部像Ｆ１上に矩形状のアライメント視標Ｍ１，Ｍ２が現れると、制御部８０はアライメント視標Ｍ１，Ｍ２の受光結果に基づき撮影部３と眼Ｅの位置合わせ（アライメント）を行う。
【００２５】
制御部８０はアライメント視標Ｍ１、Ｍ２から求められる中間位置と、前眼部像から求められる瞳孔中心が一致するように撮影部３を上下左右（ＸＹ）方向に移動させる。またアライメント視標Ｍ１、Ｍ２の間隔が所定距離となるように、撮影部３を眼Ｅに対して前後（Ｚ）方向に移動させて作動距離方向の位置合わせを行う。なお、アライメント動作の詳細な説明は国際公開２００８／０６２５２７号公報を参照されたい。
制御部８０によって、三次元方向のアライメントがアライメント許容範囲にあることが判断されると、制御部８０は光源３５ａ，３５ｂを消灯し、補助レンズ２６を光路から退避させて光源１１を点灯する。そしてモニタ８の表示を撮像素子３８で撮像される眼底像に切り換えて、フォーカス指標投影光学系４０を用いた眼底のフォーカス合わせを行う。
【００２６】
図４にモニタ８に表示される眼底像Ｆ２の例を示す。図４（ａ）は眼底のフォーカスが合っていない状態、図４（ｂ）は眼底のフォーカスが合っている状態の眼底像Ｆ２の例である。制御部８０は、撮像素子３８の撮像範囲の輝度分布に基づき、フォーカス指標Ｓ１，Ｓ２の位置を特定する。そして検出されたフォーカス指標Ｓ１，Ｓ２間の距離（分離状態）を求め、検出結果に基づくフォーカス合わせを行う。図４（ａ）に示されるようにフォーカスが合っていないとき、制御部８０はフォーカス視標Ｓ１，Ｓ２が合致するように、フォーカシングレンズ３２を光軸Ｌ１上で移動させる。そして制御部８０によってフォーカスが適切であると判断されるとフォーカス調節が完了する。
【００２７】
モニタ８に眼底像Ｆ２が鮮明に映る状態となると、視野計測中に生じる眼Ｅの移動及び回旋により生じる眼Ｅと撮影部３（光軸Ｌ１）の位置ずれを補正するアライメント、呈示視標の位置ずれを補正するためのトラッキングが制御部８０により行われるようにする。
視野検査では眼底の異なる部位に検査視標を繰り返し呈示することで視機能を検査するため、一定の時間を要し、眼の微動等の影響によって検査視標の呈示位置にずれが生じやすい。そこで制御部８０による眼底のトラッキングが行われると眼の微動等の影響が相殺されて、眼底の所期の位置に検査視標が投影される。しかし検査中の眼Ｅの回旋によって眼底画像にフレアが含まれる場合があり、フレアの影響で特徴部位が鮮明に検出し難くなると、トラッキングによる検査視標の呈示位置の補正が困難になってしまう。一方、補助レンズ２６の挿脱で前眼部と眼底観察を切り換える場合には、眼底像の観察状態で前眼部像を用いたアライメント検出を行うことはできない。そこで、本実施形態では眼底画像の画像処理でフレア領域を抽出して、眼底画像にフレアが含まれなくなる方向に撮影部３を移動させるアライメントを行う。これにより特徴部位の検出によるトラッキングの動作が好適に行われるようにする。
【００２８】
図５に本発明に係るフレア領域を用いたアライメントの動作原理を示すフローチャート、図６にアライメントの説明図を示す。
フォーカス合わせが完了すると、ステップＳ１０１で、制御部８０は所定のステップ（時間間隔）で撮像素子３８から眼底画像（画像データ）を取得する。この時、眼Ｅの移動又は回旋などによって、角膜からの反射光が眼（網膜）に入射されると、眼底画像の周囲に白色がかったフレアが発生してしまう。
【００２９】
次にステップＳ１０２で、制御部８０はフレア領域抽出手段として、メモリ８３に予め記憶されている輝度の閾値情報に基づき、取得された眼底画像（画像データ）を構成する各画素を二値化する。これにより閾値よりも高い輝度値の画素の集合がフレア領域Ｒ１として抽出され、閾値よりも低い輝度値の画素の集合がその他の領域Ｒ２として区分けされる。ここでは、図６（ａ）に示されるように、眼底画像の紙面右側にフレアが発生しており、二値化によって眼底画像の紙面右側にフレア領域Ｒ１が設定（抽出）される。なお、閾値はフレア領域Ｒ１と他の画像領域とが分けられる閾値として予め設定されている。より具体的には、輝度の閾値はフレアが抽出される輝度値を実験などで求めることで予め決定される。
【００３０】
次にステップＳ１０３で、制御部８０は重心演算手段として、抽出されたフレア領域Ｒ１の画像モーメントの重心（位置）Ｏ１（ｘ、ｙ）を画像処理で求める。ここで示される重心Ｏ１（ｘ、ｙ）は画像の輝度情報に基づく重心であり、周知の画像処理モーメント演算で求められる。例えば式（１）で算出される。
【００３１】
【数１】
2014023768.tif 000003
式（１）において、ｆ（ｘ、ｙ）は座標（ｘ、ｙ）に対応する画素の輝度値である。つまり式（１）において、ｘ方向の重心位置と、ｙ方向の重心位置と個別に求めることで、フレア領域Ｒ１の重心Ｏ１（ｘ、ｙ）を決定している。
【００３２】
次にステップＳ１０４で、制御部８０はステップＳ１０３で求められたフレア領域Ｒ１の重心Ｏ１の座標と、アライメント基準位置である撮像素子３８の重心Ｏ２（光軸Ｌ１）の座標の差分を求め、撮影部３の移動方向（ベクトル）を求める。そして、ステップＳ１０５でフレア領域Ｒ１の重心Ｏ１と撮像素子３８の重心Ｏ２（光軸Ｌ１）とが近づくように駆動部６の駆動で撮影部３を移動させる。なおフレア領域Ｒ１の重心Ｏ１と撮像素子３８の重心Ｏ２は必ずしも一致していなくても良く、眼底像にフレア領域が含まれないように撮影部３の移動量が決定されれば良い。
【００３３】
また撮影部３の移動速度を、重心Ｏ１と重心Ｏ２の差分（ベクトルＶの長さ）に応じて変化させても良い。つまり差分が大きく、ベクトルＶが長くなるほど撮影部３の移動速度を上げる。一方、差分が小さくベクトルＶが短くなるほど撮影部３の移動速度を遅くする。このようにすると眼Ｅの移動又は回旋角度の度合いに応じて、眼Ｅと撮影部３の位置ずれがより抑えられ易くなる。なお、本実施形態ではアライメント基準位置として撮像素子の重心を例に挙げて説明したが、これに限るものではない。撮影部と患者眼とを所定の位置関係に合わせるために設定される受光素子上の所定位置をアライメント基準位置として設定されていればよい。
【００３４】
そしてステップＳ１０６で視野検査の完了の有無が判断される。ステップＳ１０６で視野検査が完了していないと判断されると、ステップＳ１０１に戻り撮像素子３８による画像データの取得が繰り返し行なわれる。一方、ステップＳ１０６で視野検査の完了が判断されるとアライメント処理が完了する。
【００３５】
ところで、患者が瞬きをする途中で眼底撮影が行われると、図６（ｂ）に示すように、眼底像の周囲全体を囲むようなフレアが発生してしまう場合がある。このようなフレアは眼Ｅの移動及び回旋とは直接関係しておらず、ステップＳ１０１でこのような撮影画像が取得されてしまうと、眼Ｅと撮像素子３８とのアライメント制御が正しく行われなくなるおそれがある。
【００３６】
そこで眼Ｅの移動又は回旋以外で生じたフレアの検出結果は、上述のようなアライメント処理に反映されないことが好ましい。眼底像の周囲を囲むように発生したフレアに基づき設定されるフレア領域Ｒ１の重心Ｏ１は、アライメント基準位置である眼底の中心（重心Ｏ２）付近となる。そこでアライメント基準位置（重心Ｏ２）を中心とした所定範囲に重心Ｏ１がある場合に、そのフレア領域Ｒ１に基づくアライメント処理を行わないようにする。つまりアライメント基準位置を中心とした所定範囲を不活性領域Ｄとして定義しておき、ステップ１０４で求められたフレア領域Ｒ１の重心Ｏ１の座標が不活性領域Ｄに含まれる場合には、制御部８０はアライメント処理を行わずに、ステップＳ１０１に戻り新しい画像データを取得する処理を行う。このように不活性領域Ｄを設けることで不要なアライメント処理を抑えることができる。なお不活性領域Ｄの範囲（座標領域）は予め実験などで瞬き時に発生するフレアの重心を求めることで設定される。
【００３７】
次に、眼球の移動又は回旋に追従して、視標呈示光学系７０で呈示される検査視標の位置補正を行うトラッキングの動作原理を説明する。図７はトラッキングの動作原理の説明図であり、眼底像Ｆ２と固視標の呈示位置Ｔとが表示されている。
まず検者はモニタ８に表示された眼底像Ｆ２を確認しながら、コントロール部７ａの操作で、眼底像Ｆ２上で乳頭部や血管等の特徴点（領域）を指定する。なお、特徴部分は画像処理で自動的に抽出されても良い。そして制御部８０はコントロール部７ａからの入力信号に基づき、特徴点の座標と、特徴点を中心とした所定範囲を参照エリアＳとしてメモリ８３に記憶させ、モニタ８上に参照エリアＳを示す枠を表示させる。そして、制御部８０は参照エリアＳ内の画像処理によって、特徴部分の形状、輝度分布等の情報（画像処理により特徴部分を決定するための特徴情報）を得てメモリ８３に記憶させる。
【００３８】
制御部８０がモニタ８上の特徴点（参照エリアＳ）の移動量を検出すると、眼Ｅの動き（移動）に追従して、眼底に投影される視標（検査視標）の呈示位置をモニタ８の選択位置に一致させる補正が行われる。これにより、検査中に生じる眼Ｅの回旋等による影響が抑えられて、眼底の所期の位置に正しく検査視標が投影され、視機能検査を精度良く行えるようになる。
【００３９】
以上のようなアライメント及びトラッキングが行われている状態で、制御部８０はメモリ８３に予め記憶されている視野計測プログラムに従い眼底の各測定点に所定の検査視標を呈示させる。制御部８０はプロジェクター７１の駆動制御によって、検査視標の呈示位置をランダムに切り換えると共に、プロジェクター７１の光源の出力を調節して視標の輝度を変化させる。一方、患者は固視を維持しながら検査視標を認識できたら応答ボタン７ｂを押す。制御部８０は入力信号に基づき、検査視標の輝度をその計測点で患者が認識可能な感度の応答情報としてメモリ８３に記憶させる。なお、患者の応答が無い場合は、制御部８０は検査視標の輝度を計測点で患者が認識できない感度の応答情報としてメモリ８３に記憶させる。
【００４０】
全ての計測点での感度計測が終了すると、図８の眼の視機能感度の分布図の例に示されるように、制御部８０は眼の視機能の検査結果をモニタ８に表示させる。制御部８０は全計測点に対する感度の分布状態を模式図としてモニタ８に表示させる。なお、図８では、呈示視標の輝度の減衰値が感度分布の表示に用いられており、最も高い輝度との差分によって感度分布が表示されるようになっている。つまり、モニタ８に表示された数値が大きいほどその部位での感度が高いと判断される。
視野計側が完了すると、制御部８０は、赤外光源１１を消灯して可視光源１４を点灯させる。そして挿脱機構３９の駆動で跳ね上げミラー３４を光路から退避させる。可視で照明された眼底からの反射光は上記の眼底撮影光学系を経て撮像素子３５で受光される。
【００４１】
なお視野検査を行った結果、感度の高い黄斑付近などに疾患があることが確認された場合には、患者が物を見難い状態である可能性が高い。そこで、このような場合には、視野検査結果に基づき、疾患のある黄斑などに変えて、視機能が残されている眼底部位を黄斑の代替部位（偏心領域：PRL：Preferred Retinal Locus）として物を見るためのリハビリテーションを行うことができる。
【００４２】
モニタ８にリハビリテーション画面が表示された状態で、上述と同様の手順で眼Ｅと撮影部３との位置合わせを行い、眼底像の特徴部分に参照エリアＳを設定する。検者はコントロール部７ａの操作でモニタ８に表示された眼底像上で偏心視域を設定する。制御部８０は指定された偏心視域の座標（モニタ上での座標）と、参照エリアＳとの位置関係を対応づけるための情報をメモリ８３に記憶させ、選択された偏心視域を検者に示すマーク（図示を略す）をモニタ８に表示させる。なお、偏心視域は、患者眼の固視の安定性、文字等の読解測度、その他の視機能検査結果、カラー眼底像の目視による疾患の有無（発生の可能性）などを考慮して決定されることが好ましい。
【００４３】
以上ような設定が完了したら、検者はモニタ８の中央に表示される固視標Ｔに対してマークが近づくように被検者の視線を誘導する。視線方向が変わると固視標Ｔの投影位置にある黄班部が徐々に移動される。この時、制御部８０は、特徴点として設定した参照エリアＳを常時トラッキングすることで、初期位置からの視線の移動量を、画像処理で求められる参照エリアＳの移動量を用いて求める。そして、検出結果（移動量）に基づき、マークのモニタ８上の表示位置が逐次変更されることで、偏心視域と固視標Ｔの接近状態が確認される。一方、制御部８０は参照エリアＳの移動量から固視標Ｔと設定されたマークの位置の接近状態を検出する。
【００４４】
マークが固視標Ｔの所定範囲内に接近したことが検出されると、制御部８０は図示を略すスピーカ等から報知音を一定間隔で発生させる。なお、報知音を発生させるための固視標Ｔからの基準距離は予めメモリ８３に記憶されている。またマークと固視標Ｔの距離が接近するに従い報知音の状態を変化させる。これにより接近の度合いを被検者に分かり易く示せるようになる。
【００４５】
マークが固視標Ｔに略一致されると、制御部８０は報知音を所定時間継続して鳴らすと共に、プロジェクター７１の駆動制御で固視標Ｔの形状を切り換える。ここでは十字型に呈示されていた固視標Ｔが、図９（ａ）に示されるような白色と黒色のエリアが交互に並べられたチェッカーフラグ模様の指標Ｔ２に切り換えられる。このように固視標Ｔの状態が変化することで、被検者は偏心視域（マーク）と固視標Ｔの一致状態を視覚に認識できるようになる。なお、指標Ｔ２の白色と黒色とを交互に点滅（フリッカー刺激）させると、偏心視域と固視標との一致状態をより明確に示すことができる。また、患者の網膜に視標の点滅による刺激が与えられることで、網膜感度が向上することが期待される。以上のようなリハビリテーションが繰り返し行われることで、患者は偏心視域を用いた新しい見方を体得していく。
【００４６】
なお、上記では指標Ｔ２にフリッカー刺激を用いる例を示した。これ以外にも、検者は指標Ｔ２として様々な静的指標（単純な形状の指標、点滅しない）、動的指標（例えばフリッカー刺激）を用いることができる。また指標Ｔ２の形状や面積、動的指標の場合の点滅周波数等を任意に決定できる。更に本実施形態のように視標呈示装置７１にプロジェクターを用いる場合、複数色のレーザ光の出力が調節されることで、様々な形状、色、大きさの指標Ｔ２を任意に形成できる（例えば、水平方向に伸びる複数のバーが交互に点滅される形状の指標など）。このような様々な色、形状、大きさの各種条件を組み合わせて、刺激視標が形成できるため、患者の疾患などに応じてより効果的な刺激指標を選択できるようになる。
【００４７】
例えば、カラー視標による視野検査を行った結果、網膜感度の優れている波長の色を用いて、図９（ａ）に示されるフリッカー指標の色の組み合わせを異なるカラーに設定しても良い。これにより偏心視域がより好適に刺激されて眼の視機能が好適に向上することが期待される。また図９（ｂ）に示されるように、刺激視標の形状を同心円状にして、中心付近の円と外周付近の円のそれぞれで少なくとも２色が繰り返し点滅されるようにする。この時、中心付近の円の点滅周波数と外周付近の円の点滅周波数を変えて（中心付近の円の周波数を高くして）、中心付近の円によって網膜がより強く刺激されるようにしても良い。更に図９（ｃ）に示されるように、同心円状の視標を、様々な形状の視標の組み合わせで形成しても良い。ここでは同心円状の指標にチェッカーフラグ形状が組み込まれている例が示されている。このように複雑な形状の刺激指標が点滅されると、網膜の偏心視域により多くの刺激が与えられることが期待される。また幾何学形状の視標以外にも、患者の好みに応じて各種の視標を検者が予め用意しておき、メモリ８３に記憶させておいても良い。
【００４８】
なお検者によって検査視標を作成する場合には、モニタ８に検査視標の登録画面を表示させる（図示は省略する）。なお登録画面には視標の形状、色、点滅状態等を決定するための各種コマンドが用意されている。検者はコントロール部７ａの操作によってモニタ８上に所期の形状の検査視標を描くと共に、色や点滅状態等の各種条件を関連付ける操作をする。以上のようにして検査視標の設定が完了したら、コントロール部７ａからの入力信号によってメモリ８３に新たに作成した検査視標を記憶させる。以上のようにすることで、患者の病状に応じたリハビリテーションがより効果的に行われるようになる。更には、リハビリテーションによって患者の網膜機能が回復傾向にある場合には、使用する指標の形状及び状態を変えて、患者の疾患の状態に応じた治療が行えるようになる。
【００４９】
なお、以上の偏心視域を用いたリハビリテーションの各種情報（例えば、参照エリアＳの情報（座標）、指標Ａの相対座標など）は被検者のＩＤ情報に関連付けて全てメモリ８３の環境設定ファイルに記憶される。これにより被検者が後日に再検査（フィードバック検査）を行うときに、環境設定ファイルの各種情報と被検者情報を共に呼び出すことで、前回と同じ条件でのリハビリテーションが繰り返し行えるようになる。これにより、前回のリハビリテーションからの変化を確認でき、必要に応じて同じ条件での治療を行えるようになる。又は再検査の結果に応じて新しいリハビリテーションでの治療が行えるようになる。
【００５０】
なお、本発明は眼底撮影装置を用いてリハビリテーションを行う場合を例に挙げて示したが、これに限られるものではない。リハビリテーションの各種条件（患者の氏名、固視標の座標情報、固視標の座標位置に対するリハビリテーションの偏心視域ＴＲＬの範囲の座標、刺激視標Ｔ２の点滅パターン、視標Ｔ２の点滅周波数等の情報など）が記憶されたメモリ８３の環境ファイルを、患者が自宅のパソコンＰＣにインストールすることで、病院に通院することなく、自宅で容易にリハビリテーションを定期的に行えるようにしても良い。ここで、患者が自宅でリハビリテーションを行う例を説明する。なお以下の説明では患者の自宅にパソコンやＬＡＮ等の通信環境が整えられていることを前提としている。
【００５１】
従来、低視力者は物を良く見えるようにするため、眼鏡等のレンズを用いて対象物を拡大させたり、パソコンＰＣを使って対象物を拡大表示させたりしていた。又は、対象が文章などの場合には、音などの視機能以外の情報に変換して認識させる方法も知られている。しかしながら、これらは低視力の患者の視力（視機能）を向上させる機会を与えるものではなかった。一方、上述したような偏心視域を用いたリハビリテーション訓練によって、低視力者の患者に残された視機能を向上させることが期待されている。
【００５２】
リハビリテーションが必要な低視力の患者の視機能（見え方）を向上させるためには、偏心視域ＴＲＬを用いた訓練が繰り返し行われることが求められる。しかし、低視力の患者が通院するためには第三者の介助が必要となり、通院は患者と第三者の両者にとって負担となる。一方、汎用のパソコンＰＣは世の中に広く普及されているため低視力者が自宅でリハビリテーションを行うための環境が整えられていると言える。
そこで、本発明は低視力者が自宅のパソコンＰＣを使ってリハビリテーションを実行できる専用のソフトウェア（プログラム）を提供する。これにより偏心視域ＴＲＬを用いた視機能訓練を自宅で簡単に行えるようになる。
【００５３】
ソフトウェアＳＷは、患者のフィードバック検査（リハビリテーション）の条件が記憶されると共に眼底撮影装置１の本体に内蔵されるメモリ８３に用意されている環境設定ファイルＳＷＡと、眼底撮影装置１から転送された環境設定ファイルＳＷＡの情報が記憶される外部記憶ファイルＳＷＢを備える。なおソフトウェアＳＷ，ファイルＳＷＡ及びファイルＳＷＢの図示は省略する。
【００５４】
環境設定ファイルＳＷＡには、上述の患者の氏名、固視標の座標、固視標に対する偏心視域の座標、刺激視標の形状や点滅周波数など、眼底撮影装置で行われたリハビリテーションの各種条件が記憶される他、検者によって設定されたリハビリテーションの期間、リハビリテーションの各セクションを実施するインターバル、実施回数などの情報が記憶される。なおこれらの情報は、眼底撮影装置１の制御部８０によって患者のリハビリテーションが行われる際に環境設定ファイルＳＷＡに自動的に転送されるか、検者の手動による操作に基づき環境設定ファイルＳＷＡに転送される。外部記憶ファイルＳＷＢは、ウェブサイトからダウンロード可能又はインストール可能な周知のデバイスに記憶される。例えば、デバイスには、ＣＤ，ＤＶＤ、Ｄｏｎｇｌｅなど汎用のコンピュータで実行可能なデバイスが用いられる。
【００５５】
次にリハビリテーションプログラムを自宅で実行する手順を説明する。図１０に自宅でリハビリテーションプログラムの実行する際の手順のフローチャートを示す。図１１に患者の自宅パソコンＰＣのモニタＭの表示例を示す。
【００５６】
はじめに患者は病院（検者）へ通院し、眼底撮影装置１を用いたリハビリテーションを行い、偏心視域、刺激視標の座標などの各種条件が定められる。設定された各種条件は、制御部８０によって環境設定ファイルＳＷＡに記憶される。また、コントロール部７ａの操作によって、制御部８０は環境設定ファイルＳＷＡの情報を外部記憶ファイルＳＷＢが記憶された記憶媒体に転送して記憶させる（患者固有のリハビリテーションの条件：Eye Fitness Software）。
【００５７】
ステップＳ２０１で、患者の所有する自宅のパソコンＰＣが起動された状態で、認証機能のある医院のウェブサイトからダウンロードがされるか、パソコンＰＣにＣＤ、ＤＶＤ等による記憶媒体が挿入されることにより、パソコンＰＣの制御部（図示を略す）によって外部記憶ファイルＳＷＢがインストールされたことが検出されると、ステップＳ２０２で、制御部はモニタＭの画面サイズの入力を促す画面を表示させる。これによりモニタＭ上の固視表と偏心視域との位置関係が正しく設定される。検者による入力手段（マウス又はキーボード等）の操作でモニタＭのサイズの情報が入力されると、パソコンＰＣの制御部は外部記憶ファイルＳＷＢに記憶されている環境設定ファイルＳＷＡの読み込みを開始し、自宅でリハビリテーションを行うためのソフトウェア（Eye Fitness Software）の実行を開始する。
【００５８】
ステップＳ２０３で、制御部はモニタＭに，患者とモニタＭとの距離を示すメッセージを表示させる。これにより患者はモニタＭと自身との距離を調節する。なおメッセージは音声等のより低視力の患者に分かりやすい手段で伝えられても良い。次にステップＳ２０４で、制御部はパソコンＰＣのモニタＭに固視標とフリッカー刺激視標を表示させる。この時、ステップＳ２０２で入力された画面サイズに応じて、固視表とフリッカー刺激視標の表示位置の座標が設定される。制御部は演算結果に基づきモニタＭに固視表とフリッカー刺激視標を表示させる。また、モニタＭの画面表示又は音声などで患者に治療時間が伝えられる。モニタＭに表示されたフリッカー刺激視標は、予めソフトウェアＳＷに記憶されている周波数で点滅される。患者によって固視表が固視された状態で、フリッカー刺激視標の点滅による刺激が網膜上の予め定められた偏心視域の位置に与えられるようになる。なおここではパソコンＰＣに固視標と刺激視標の両方が表示されるとしたが、固視標を呈示せずに、患者にモニタＭの中央部を固視するように促す音声等を出力して、刺激視標のみを呈示しても良い。
【００５９】
ステップＳ２０５で、制御部によって予め設定されている患者の治療時間が経過したかが判断される。治療の完了が判断されると、制御部は患者に治療時間が完了したことをモニタＭの表示又は音声で伝え、患者の治療の実施状況を、外部記憶ファイルＳＷＢに保存された環境設定ファイルＳＷＡに記憶させる。一方、予め設定された治療時間が経過していないと判断されると、ステップＳ２０４に戻りフリッカー刺激による網膜刺激が継続して行なわれる。
【００６０】
以上のように検者によって設定された一連のリハビリテーションが完了したら、患者は再び病院（検者）に通院する。なお自宅で行うリハビリテーションプログラムは、例えば週に１回１０分間程度の治療を３ヶ月以上繰返すように設定される。
一方、ステップＳ２０４で外部記憶ファイルＳＷＢに記憶された情報は、（認証機能のある）ウェブサイトのネットワークや、ＣＤ，ＤＶＤなどの周知の記憶媒体を介して、再び眼底撮影装置１本体又は検者のパソコンに入力される。これにより、眼底撮影装置１又は術者のパソコンの制御部によって、外部記憶ファイルＳＷＢに記憶された患者のリハビリテーションの実施状況が読み込まれ、モニタ８等にその実施状況が表示されるようになる。これにより、検者は患者が一連のリハビリテーションの訓練を計画に基づき実施したかを容易に確認できるようになる。
【００６１】
そして、検者は病院にて再び眼底撮影装置１や他の装置を用いた患者の視機能検査を行う。なお視機能検査としては上記の視野検査による網膜感度測定の他、固視の安定度、文字等の読解速度などが行われても良い。そして検者は患者の自宅でのリハビリテーション結果を評価すると共に、評価結果に基づきリハビリテーションプログラムの内容などを更新する。この時、患者の網膜視機能向上の度合いに応じて刺激視標の形状、大きさ、色などが検者によって任意に変更される。これにより、患者の見え方の状態に応じて、自宅での治療（リハビリテーション）がより好適に行われるようになる。
【００６２】
なお、加齢に伴う網膜色素変成（症）や、黄斑変成症などを含む網膜の病気による視機能の低下が発生する際に、網膜の暗順応に寄与する桿体視細胞（以下、視細胞と記す）の方が、網膜の明順応に寄与する錐体よりもその感度が急激に低下することが研究により明らかになってきている。そこで、本発明に係る実施形態では、上述の眼底撮影装置（眼底撮影装置）を用いて、患者の暗順応の検査が行えるようにして、網膜機能の低下を早期に発見出来るようにする。これにより、上述したようなリハビリテーションが網膜機能低下の初期状態から開始されるようになり、患者の網膜機能の低下を好適に抑制できることが期待される。
【００６３】
ここで第２実施形態の眼底撮影装置（眼底撮影装置）について説明する。図１２に第２実施形態の眼底撮影装置の光学系及び制御系の説明図を示す。なお以下の説明において、上述の眼底撮影装置１と同じ構成には同じ図番号を付し、ここでの詳細な説明は省略する。
本実施形態では、視標呈示装置７１（スクリーン７２）とレンズ７３との間に、ディスプレイの輝度を減光させるための減光フィルター９１と、視標呈示装置７１から出力される視標の光束を所定の波長に制限するためのショートパスフィルター９２とを挿脱可能に設ける。減光フィルター９１によって視標呈示装置７１からの光束が減衰されて、視野検査時の背景輝度が黒色にセットされる。一方、ショートパスフィルター９２には500nmを含むものが使用され、減光フィルター９１とシートパスフィルター９２を通過した光束の青色成分が制限される。
【００６４】
各フィルター９１、９２はそれぞれレバー（図示を省略する）に取り付けられており、装置本体１の視標呈示装置７１の取り付け位置付近にレバーを挿脱させるための開口（図示を略す）が設けられている。このようにすると検者は装置本体の外観カバーを開く事無く、本体に設けられた開口を介して各フィルター９１、９２を光軸Ｌ２上に挿脱させることができるようになる。なお各フィルター９１、９２の挿脱を検知するセンサーを装置本体１に設けても良い。また各フィルター９１，９２に駆動機構を接続して自動的に光軸Ｌ２上に挿脱されるようにしても良い。
【００６５】
以上のような構成により、光軸Ｌ２に各フィルター９１，９２が挿入されると、視標呈示装置７１からの光束が所定の波長帯域に制限されて暗順応の視野検査が行われるようになる。一方、光軸Ｌ２から各フィルター９１、９２が取外されると明順応での視野検査が行われるようになる。このように１台の装置で複数種類の視野検査が行えることで、検者は患者の網膜の視機能状態を様々な観点から評価できるようになる。
【００６６】
以上のような構成を備える眼底撮影装置を用いて、眼の暗順応による視野検査を行う例を説明する。先ず検者は、患者眼にトロピカミド等の点眼剤を点眼して開眼させた状態で、被検者を暗室などの外乱光の少ない部屋に移動させ、暗室で十分に暗順応させる（例えば、３０分間暗順応させる）。一方検者は、各フィルター９１、９２を装置本体１の開口から差しこみ光軸Ｌ２上に配置させる。制御部８０は各フィルター９１，９２の取り付けを検知すると、自動的に暗視野測定の刺激条件に切り換える。なお、暗順応での視野検査機能を備える眼底撮影装置の装置本体１の外観はできるだけ黒色に近い色であることが好ましい。
【００６７】
測定準備が完了したら、装置本体１に被検者を位置させて、上述の明視野による視野検査の場合と同様に、患者眼と撮影部３との位置合わせが行われる。この時、上述と同様な制御によって眼と撮影部３とのトラッキングが行われ、眼の視線移動又は回旋による固視ずれの影響が抑制されて、眼底の所期の位置に正しく検査視標が投影されるようになる。
そして、上記と同様の手順で網膜に対して検査視標が切り換え呈示されて、被検者の応答に基づく視野感度マップが作成される。
【００６８】
このように暗順応での視野検査が行われると網膜疾患の初期段階を早期に発見できるようになることが期待される。そして被検者の網膜機能の疾患が進行して視機能が失われる前に、上記のようなリハビリテーションが早期に開始されることで、網膜機能の回復及び疾患の進行の抑制を図ることができるようになる。
【００６９】
また、１台で明順応と暗順応の両方の視野検査が行えるようになることで、検者は術者の疾患の状態に応じた使い分けを行うことができるようになる。これにより検者は複数の装置を所有せずに患者眼の診断を効率よく行えるようになる。
【００７０】
更に、上記のような各種視野検査等を行う際に患者の視覚誘発電位（Visual Evoked Potential）の測定が行われると良い。視覚誘発電位とは患者眼に視覚刺激を与えた時に大脳皮質視覚野に生じる電位である。各種視野検査と視野誘発電位の両方の測定をすることで、患者の病状等を総合的に判断できるようになる他、反応が好適に得られるリハビリテーション条件設定などにも役立てられることが期待される。
【図面の簡単な説明】
【００７１】
【図１】眼底撮影装置の外観構成図である。
【図２】眼底撮影装置の光学系及び制御系の説明図である。
【図３】モニタに表示される前眼部像の例である。
【図４】モニタに表示される眼底像の例である。
【図５】フレア領域を用いたアライメントの動作原理のフローチャートである。
【図６】アライメントの説明図である。
【図７】トラッキングの動作原理の説明図である。
【図８】視機能感度の分布図の例である。
【図９】リハビリテーションでの刺激指標の例である。
【図１０】自宅でのリハビリテーション実行手順のフローチャートである。
【図１１】患者の自宅パソコンのモニタ表示例である。
【図１２】第２実施形態の眼底撮影装置の光学系及び制御系の説明図である。
【符号の説明】
【００７２】
１  眼底撮影装置
７ａ  コントロール部
８  モニタ
１０  照明光学系
３０  観察・撮影光学系
３５、３６  撮像素子
４０  フォーカス指標投影光学系
７０  視標呈示光学系
８０  制御部
９１  減光フィルター
９２  ショートパスフィルター
【図１】
2014023768.tif 000004
【図２】
2014023768.tif 000005
【図３】
2014023768.tif 000006
【図４】
2014023768.tif 000007
【図５】
2014023768.tif 000008
【図６】
2014023768.tif 000009
【図７】
2014023768.tif 000010
【図８】
2014023768.tif 000011
【図９】
2014023768.tif 000012
【図１０】
2014023768.tif 000013
【図１１】
2014023768.tif 000014
【図１２】
2014023768.tif 000015